(57)【要約】【課題】投射型表示装置において、装置構成の複雑化を招くことなく迅速なランプ再点灯を実現可能にする。【解決手段】光源１１と、前記光源１１の点灯および消灯を制御する光源制御部３１と、前記光源１１に対する冷却風を複数段階の冷却度合いに選択的に対応しつつ発生させる冷却風発生部２，３２と、前記光源制御部３１による前記光源１１の点灯失敗に応じて常用段階よりも冷却度合いが高い冷却風の発生を前記冷却風発生部２，３２に指示する冷却制御部３３と、を備えて投射型表示装置を構成する。【選択図】図４
2010224079.tif 000002
【特許請求の範囲】
【請求項１】
光源と、
前記光源の点灯および消灯を制御する光源制御部と、
前記光源に対する冷却風を複数段階の冷却度合いに選択的に対応しつつ発生させる冷却風発生部と、
前記光源制御部による前記光源の点灯失敗に応じて常用段階よりも冷却度合いが高い冷却風の発生を前記冷却風発生部に指示する冷却制御部と
を備える投射型表示装置。
【請求項２】
前記冷却制御部は、前記常用段階よりも冷却度合いが高い冷却風の発生を前記冷却風発生部に指示した後、前記光源制御部が前記光源の点灯に成功すると、当該常用段階に対応した冷却風の発生を前記冷却風発生部に指示する
請求項１記載の投射型表示装置。
【請求項３】
前記冷却制御部は、前記常用段階よりも冷却度合いが高い冷却風の発生を前記冷却風発生部に指示した後、所定回数の前記光源の点灯失敗が連続すると、前記冷却風発生部による冷却風の発生を停止させるとともにアラーム出力を行う
請求項１または２記載の投射型表示装置。
【請求項４】
通常モードと冷却促進モードとの別を設定するモード設定部を備え、
前記冷却制御部は、前記モード設定部で前記冷却促進モードが設定されると、装置起動後から前記常用段階よりも冷却度合いが高い冷却風の発生を前記冷却風発生部に指示し、前記光源制御部が前記光源の点灯に失敗すると、引き続き当該指示を継続して前記冷却風発生部に与える
請求項１、２または３記載の投射型表示装置。
【請求項５】
光源の点灯を指示する光源制御ステップと、
前記光源に対する冷却風を複数段階の冷却度合いに選択的に対応しつつ発生させる冷却風発生ステップと、
前記光源制御ステップでの前記光源の点灯失敗に応じて前記冷却風発生ステップで発生させる冷却風について常用段階よりも冷却度合いを高くする冷却制御ステップと
を含む光源冷却方法。
【発明の詳細な説明】
【技術分野】
【０００１】
本発明は、投影画像を表示する投射型表示装置および当該投射型表示装置に用いて好適な光源冷却方法に関する。
【背景技術】
【０００２】
近年、投影画像を表示する投射型表示装置として、液晶プロジェクタ装置が広く知られている。液晶プロジェクタ装置は、光源から出射された光を、液晶パネルを用いて変調し画像信号に応じた光学像を形成するとともに、その光学像を投射レンズで拡大投影してスクリーン上に表示するように構成されている。
液晶プロジェクタ装置にて用いられる光源としては、放電ランプ（キセノンランプ、メタルハライドランプ、高圧水銀ランプ等）が一般的である。ただし、この種の放電ランプは、消灯した後に再点灯する場合、ランプ温度が高いと再点灯できないことが知られている。
このことから、液晶プロジェクタ装置については、ランプ消灯後からの経過時間やランプ近傍の温度測定結果等を基に、再点灯の可否や冷却の要否等を制御して、ランプ点灯失敗を未然に防止するように構成することが提案されている（例えば、特許文献１〜３参照。）。また、ランプ消灯後、電源プラグをコンセントから抜いても、装置冷却用のファンを駆動できるように、ファン駆動用の予備電源を備えて構成することも提案されている（例えば、特許文献４参照。）。
【先行技術文献】
【特許文献】
【０００３】
【特許文献１】特開２００５−０４９８６０号公報
【特許文献２】特開２００４−３４８１０９号公報
【特許文献３】特開２００４−１６３６８６号公報
【特許文献４】特開平０５−２３２２６７号公報
【発明の概要】
【発明が解決しようとする課題】
【０００４】
しかしながら、経過時間や温度測定結果等を基に再点灯の可否や冷却の要否等を制御する場合には、ランプ消灯から所定時間経過後または温度測定結果が所定温度以下になる等の条件を満足しなければ、ランプ再点灯が許可されないことになる。つまり、必ずしも迅速なランプ再点灯が行えるとは限らない。
また、装置内に予備電源を備えていると、電源プラグをコンセントから抜いても、当該予備電源を利用した冷却によりランプ温度を低下させることで、ランプ再点灯の迅速化が図れるが、当該予備電源を備えることで装置構成の複雑化を招いてしまうことになる。
【０００５】
そこで、本発明は、装置構成の複雑化を招くことなく迅速なランプ再点灯を実現可能にする投射型表示装置および光源冷却方法を提供することを目的とする。
【課題を解決するための手段】
【０００６】
本発明は、上記目的を達成するために案出された投射型表示装置で、光源と、前記光源の点灯および消灯を制御する光源制御部と、前記光源に対する冷却風を複数段階の冷却度合いに選択的に対応しつつ発生させる冷却風発生部と、前記光源制御部による前記光源の点灯失敗に応じて常用段階よりも冷却度合いが高い冷却風の発生を前記冷却風発生部に指示する冷却制御部とを備える投射型表示装置である。
【０００７】
上記構成の投射型表示装置では、光源の点灯失敗に応じて、冷却風発生部が常用段階よりも冷却度合いの高い冷却風を発生させる。つまり、冷却度合いの高い冷却風によって、常用段階の場合に比べると、光源に対する冷却が促進されることになる。
「光源の点灯失敗に応じて」とは、遅くとも当該点灯失敗の発生を契機にしたタイミングまでに、の意である。したがって、点灯失敗の発生を契機にして冷却度合いを高くしてもよいし、またはそれ以前のタイミング（具体的には、装置起動後から点灯失敗発生までのいずれかのタイミング。）で冷却度合いを高くしてもよい。
「冷却度合い」とは、光源に対する冷却の度合い、さらに詳しくは単位時間あたりの温度低下量を意味する。この冷却度合いは、例えば冷却風の流量によって特定される。ただし、冷却風の流量以外の他の要因によって特定されることもあり得る。
「常用段階」とは、複数段階（ただし、当該複数段階の中で最も冷却度合いが高い段階を除く。）の冷却度合いのうちの一段階で、装置稼動時に常用される段階のことをいう。
【発明の効果】
【０００８】
本発明によれば、光源の点灯失敗に応じて当該光源に対する冷却が促進されることになるので、常用段階のままで冷却促進が行われない場合に比べて、迅速に光源の再点灯を行うことが実現可能になる。
しかも、光源の点灯失敗に応じて冷却度合いを高くすればよいため、装置内に予備電源を備えている必要がない。また、光源の点灯失敗がなければ、常用段階の冷却度合いにて光源に対する冷却を行えばよく、騒音防止機構や電源供給機構等の構成が大掛かりなものとなってしまうこともない。したがって、迅速に光源の再点灯を実現可能にするために、装置構成の複雑化を招いてしまうこともない。
【図面の簡単な説明】
【０００９】
【図１】液晶プロジェクタ装置の概略構成例を示す説明図である。
【図２】三板式の液晶プロジェクタ装置における光学系ユニットの構成例を示す説明図である。
【図３】三板式の液晶プロジェクタ装置における光学系ユニットの他の概略構成例を示す模式図である。
【図４】本発明に係る液晶プロジェクタ装置の要部構成例を示す機能ブロック図である。
【図５】本発明に係る液晶プロジェクタ装置における通常モード時の処理動作例を示すタイミングチャートである。
【図６】冷却度合いの違いの一具体例を示す模式図である。
【図７】本発明に係る液晶プロジェクタ装置における冷却促進モード時の処理動作例を示すタイミングチャートである。
【発明を実施するための形態】
【００１０】
以下、本発明を実施するための形態（以下、「実施形態」という。）について説明する。なお、説明は以下の順序で行う。
１．投射型表示装置の概略構成例
２．投射型表示装置の要部構成例
３．投射型表示装置における処理動作例
【００１１】
＜１．投射型表示装置の概略構成例＞
先ず、投射型表示装置の概略構成について説明する。
ここでは、投射型表示装置として、液晶プロジェクタ装置を例に挙げて説明する。
【００１２】
図１は、液晶プロジェクタ装置の概略構成例を示す説明図である。
図例のように、液晶プロジェクタ装置は、その筐体内に、光学系ユニット１と、冷却ファンモータ２と、冷却ダクト３と、光源ユニット４と、を備えて構成されている。
光学系ユニット１は、スクリーン上へのカラー画像の投影表示を行う。
冷却ファンモータ２は、例えばシロッコファンモータや軸流ファンモータ等からなるもので、筐体外から空気を吸引するとともに、吸引した空気を用いて光源ユニット４を冷却し、その冷却後の空気を筐体外へ排出するための送風を行う。
冷却ダクト３は、筐体外から吸引された空気を光源ユニット４へ導くとともに、その光源ユニット４での熱交換を経た後の空気を筐体外へ導くものである。すなわち、冷却ダクト３は、冷却風の案内路として機能する。
光源ユニット４は、投影画像を表示するための光を発する光源を備えてなるものである。光源としては、キセノンランプ、メタルハライドランプ、高圧水銀ランプ等の高輝度放電ランプ（以下、単に「光源ランプ」という。）を用いる。
【００１３】
図２は、三板式の液晶プロジェクタ装置における光学系ユニット１の構成例を示す説明図である。図例では、透過型液晶パネルを用いた液晶プロジェクタ装置における光学系ユニット１の構成例を示している。
図例の光学系ユニット１では、光源ユニット４における光源ランプ１１から出射される光が、赤外線や紫外線をカットするフィルタ１２、第１フライアイレンズ１３、第２フライアイレンズ１４、偏光変換素子１５および集光レンズ１６を経る。そして、これらを経た後に、特定の波長帯域の光だけを反射するダイクロイック・ミラー１７によって、ＲＧＢの各色成分光に分離される。ＲＧＢの各色成分光は、必要に応じて紫外線を吸収するフィルタ１８、全反射ミラー１９、コンデンサー・レンズ２０、リレーレンズ２１等を利用しつつ、ＲＧＢの各色に対応して設けられた液晶パネル２３Ｒ，２３Ｇ，２３Ｂに入射される。各液晶パネル２３Ｒ，２３Ｇ，２３Ｂには、それぞれに付随して、入射側偏光板２２、光学補償板２４および出射側偏光板２５が設けられている。そして、入射側偏光板２２を透過した各色成分光が各液晶パネル２３Ｒ，２３Ｇ，２３Ｂへ入射し、各液晶パネル２３Ｒ，２３Ｇ，２３Ｂにて光変調された各色成分光が光学補償板２４および出射側偏光板２５を透過するようになっている。各液晶パネル２３Ｒ，２３Ｇ，２３Ｂにて映像信号に応じた光変調が行われた後は、光変調された各色成分光が必要に応じて１／２波長フィルム２６を経てダイクロイック・プリズム２７によって合成されて、投射レンズ２８によって拡大投影される。このようにして、光学系ユニット１では、スクリーン上へのカラー画像の投影表示を行うようになっている。
【００１４】
図３は、光学系ユニット１の他の概略構成例を示す模式図である。図例では、反射型液晶パネルを用いた液晶プロジェクタ装置における光学系ユニット１の構成例を示している。
図例の光学系ユニット１においても、透過型液晶パネルを用いた場合（図２参照。）と同様に、光源ランプ１１から出射される光が、フィルタ１２、第１フライアイレンズ１３、第２フライアイレンズ１４、偏光変換素子１５および集光レンズ１６を経る。そして、これらを経た後に、ダイクロイック・ミラー１７によってＲＧＢの各色成分光に分離される。その後は、各色成分光が、必要に応じて全反射ミラー１９や偏光ビームスプリッタ（ＰＢＳ）２９、１／４波長板２４を経て、ＲＧＢの各色に対応して設けられた反射型液晶パネル３０Ｒ，３０Ｇ，３０Ｂに入射される。そして、各反射型液晶パネル３０Ｒ，３０Ｇ，３０Ｂにて映像信号に応じた光変調が行われ、光変調された各色成分光がダイクロイック・プリズム２７によって合成されて、投射レンズ２８によって拡大投影される。このようにして、光学系ユニット２では、スクリーン上へのカラー画像の表示を行うようになっている。
【００１５】
＜２．投射型表示装置の要部構成例＞
次に、投射型表示装置の要部構成について説明する。
【００１６】
図４は、液晶プロジェクタ装置の要部構成例を示す機能ブロック図である。
図例のように、液晶プロジェクタ装置は、ランプ電源供給部３１と、電源回路部３２と、メインコントロール部３３と、ユーザインタフェース（以下、「Ｕ／Ｉ」と略す。）部３４と、を備えて構成されている。
【００１７】
ランプ電源供給部３１は、光源ユニット４における光源ランプ１１の駆動制御を行うバラスト回路からなるもので、当該光源ランプ１１への電源供給を通じて、当該光源ランプ１１の点灯および消灯を制御する。つまり、ランプ電源供給部３１は、本発明における光源制御部として機能する。
【００１８】
電源回路部３２は、冷却ファンモータ２およびランプ電源供給部３１に対する電源供給を行う。この電源回路部３２からの電源供給を受けて、冷却ファンモータ２は、液晶プロジェクタ装置の筐体内に冷却風を発生させることになる。
ただし、冷却ファンモータ２による冷却風の発生は、複数段階の冷却度合いのいずれかに選択的に対応して行われる。ここで、「冷却度合い」とは、光源に対する冷却の度合い、さらに詳しくは単位時間あたりの温度低下量を意味する。この冷却度合いは、例えば冷却風の流量によって特定される。ただし、冷却風の流量以外の他の要因によって特定されることもあり得る。以下の説明では、冷却度合いが冷却風の流量によって特定される場合を例に挙げる。具体的には、電源回路部３２が冷却ファンモータ２への供給電圧値を切り替えて、当該冷却ファンモータ２の動作回転数を可変させることで、複数段階の冷却風流量に対応しているものとする。なお、冷却ファンモータ２が複数存在する場合に、動作回転数を可変させる冷却ファンモータ２は、複数のうちの一部のみであってもよいし、全てであってもよい。つまり、光源に対する冷却の度合いが可変可能であれば、どのような切り替え態様でこれを実現しても構わない。
このように、電源回路部３２およびこれに駆動される冷却ファンモータ２は、光源ランプ１１に対する冷却風を複数段階の冷却度合いに選択的に対応しつつ発生させる、本発明における冷却風発生部として機能する。
【００１９】
メインコントロール部３３は、所定プログラムを実行するコンピュータ装置としての機能を有したもので、液晶プロジェクタ装置全体の動作制御を行う。この動作制御には、ランプ電源供給部３１および電源回路部３２に対する動作制御が含まれる。したがって、ランプ電源供給部３１および電源回路部３２は、メインコントロール部３３からの制御指示に従いつつ、光源ランプ１１の点灯／消灯制御や冷却ファンモータ２に発生させる冷却風についての冷却度合い制御等を行うことになる。
ところで、メインコントロール部３３は、詳細を後述するように、ランプ電源供給部３１および電源回路部３２に対して、以下のような動作制御を行う。すなわち、ランプ電源供給部３１による光源ランプ１１の点灯失敗に応じて、常用段階よりも冷却度合いが高い冷却風の発生を電源回路部３２に指示する。また、常用段階よりも冷却度合いが高い冷却風の発生を電源回路部３２に指示した後、ランプ電源供給部３１が光源ランプ１１の点灯に成功すると、当該常用段階に対応した冷却風の発生を電源回路部３２に指示する。さらに、常用段階よりも冷却度合いが高い冷却風の発生を電源回路部３２に指示した後、所定回数の光源ランプ１１の点灯失敗が連続すると、電源回路部３２に対して冷却ファンモータ２による冷却風の発生停止を指示するとともに、Ｕ／Ｉ部３４を通じてアラーム出力を行う。
ここで、「点灯失敗に応じて」とは、遅くとも当該点灯失敗の発生を契機にしたタイミングまでに、の意である。したがって、点灯失敗の発生を契機にして冷却度合いを高くしてもよいし、またはそれ以前のタイミング（具体的には、装置起動後から点灯失敗発生までのいずれかのタイミング。）で冷却度合いを高くしてもよい。また、「常用段階」とは、複数段階（ただし、当該複数段階の中で最も冷却度合いが高い段階を除く。）の冷却度合いのうちの一段階で、装置稼動時に常用される段階のことをいう。
つまり、メインコントロール部３３は、本発明における冷却制御部として機能する。
【００２０】
Ｕ／Ｉ部３４は、操作パネルや液晶表示部等からなるもので、液晶プロジェクタ装置の利用者が操作して情報入力を行ったり、当該利用者に対する情報出力を行ったりする。このＵ／Ｉ部３４で行われる情報入力には、通常モードと冷却促進モードとの別の設定が含まれる。つまり、Ｕ／Ｉ部３４は、本発明におけるモード設定部として機能する。なお、通常モードと冷却促進モードとの違いについては、後述する。
【００２１】
＜３．投射型表示装置における処理動作例＞
次に、投射型表示装置における処理動作例について、通常モードの場合と、冷却促進モードの場合とに分けて、以下に説明する。
【００２２】
以下の説明では、複数段階の冷却度合いとして三段階が存在する場合を例に挙げる。
三段階のうちの一つは、冷却ファンモータ２が許容最大回転数で動作する段階、すなわち最も冷却度合いの高い段階である。この段階を、以下「最大冷却段階」という。
三段階のうちの他の一つは、冷却ファンモータ２を動作させない段階、すなわち最も冷却度合いの低い段階である。この段階を、以下「最小冷却段階」という。
三段階のうちのさらに他の一つは、冷却ファンモータ２が中間の回転数（ゼロより大きく許容最大回転数より小さい回転数）で動作する段階、すなわち冷却度合いが中間となる段階である。この段階が「常用段階」として用いられることになる。
【００２３】
［通常モード］
図５は、液晶プロジェクタ装置における通常モード時の処理動作例を示すタイミングチャートである。
【００２４】
図５（ａ）に示すように、液晶プロジェクタ装置では、Ｕ／Ｉ部３４でパワーオンスイッチが操作されると、メインコントロール部３３が電源回路部３２に対して冷却ファンモータ２の動作指示を与える。この動作指示を受けて、電源回路部３２は、冷却ファンモータ２に対する電源供給を行って、当該冷却ファンモータ２に冷却風発生を行わせる。このとき、電源回路部３２は、冷却ファンモータ２を一時的に最大冷却段階で動作させ、動作開始から所定時間が経過したら常用段階での動作に切り替える。これは、一旦最大冷却段階で動作させることでその後の動作の円滑化を図る、いわゆるイニシャライズ動作に相当するものである。したがって、冷却ファンモータ２がイニシャライズ動作を不要とするものであれば、必須の処理動作ではない。
その後は、Ｕ／Ｉ部３４での所定操作または液晶プロジェクタ装置に接続する外部装置からの信号入力があると、メインコントロール部３３がランプ電源供給部３１に対して光源ランプ１１の点灯指示を与える。この点灯指示を受けて、ランプ電源供給部３１は、光源ランプ１１に対する電源供給を行って、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００２５】
ただし、何らかの理由で光源ランプ１１の点灯を正常に行えずに当該点灯に失敗した場合には、ランプ電源供給部３１は、その旨をメインコントロール部３３へ通知する。この通知を受けて、メインコントロール部３３は、図５（ｂ）に示すように、冷却ファンモータ２を最大冷却段階で動作させるよう、電源回路部３２に対して当該冷却ファンモータ２の動作指示を与える。つまり、メインコントロール部３３は、ランプ電源供給部３１による光源ランプ１１の点灯失敗を契機にして、常用段階よりも冷却度合いが高い最大冷却段階での冷却風の発生を、電源回路部３２に対して指示するのである。この動作指示を受けて、電源回路部３２は、冷却ファンモータ２の動作を、常用段階から最大冷却段階へ切り替える。
その後、ランプ電源供給部３１からの点灯失敗の通知から予め設定されている所定インターバル期間が経過すると、メインコントロール部３３は、ランプ電源供給部３１に対して光源ランプ１１の再点灯指示を与える。この再点灯指示を受けて、ランプ電源供給部３１は、光源ランプ１１に対する電源供給を通じて、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００２６】
また、光源ランプ１１の再点灯に失敗した場合には、ランプ電源供給部３１は、その旨をメインコントロール部３３へ通知する。この通知を受けると、メインコントロール部３３は、図５（ｃ）に示すように、冷却ファンモータ２を最大冷却段階のまま動作させるよう、電源回路部３２に対して当該冷却ファンモータ２の動作指示を与える。これにより、冷却ファンモータ２は、引き続き最大冷却段階での動作を継続して行うことになる。
その後、ランプ電源供給部３１からの再点灯失敗の通知から予め設定されている所定インターバル期間が経過すると、メインコントロール部３３は、再び、ランプ電源供給部３１に対して光源ランプ１１の再点灯指示を与える。この再点灯指示を受けて、ランプ電源供給部３１は、光源ランプ１１に対する電源供給を通じて、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００２７】
ただし、ここでも光源ランプ１１の再点灯に失敗した場合には、光源ランプ１１の故障等が発生していると考えられる。このことから、ランプ電源供給部３１から再点灯失敗の通知を受けると、メインコントロール部３３は、図５（ｄ）に示すように、冷却ファンモータ２を停止させるよう、電源回路部３２に対して当該冷却ファンモータ２の動作指示を与える。この動作指示を受けて、電源回路部３２は、冷却ファンモータ２の動作を、最大冷却段階から最小冷却段階へ切り替える。つまり、メインコントロール部３３は、所定回数（例えば、２回。）の光源ランプ１１の点灯失敗が連続すると、冷却ファンモータ２を駆動停止させる。
さらに、メインコントロール部３３は、光源ランプ１１が点灯しない旨のアラーム出力を、Ｕ／Ｉ部３４を通じて行う。なお、アラーム出力での出力内容は、予め設定されているものであればよく、特に限定されるものではない。
【００２８】
以上のように、通常モード時の処理動作例では、光源ランプ１１の点灯失敗を契機にして、常用段階よりも冷却度合いの高い最大冷却段階での冷却風を発生させるように、冷却ファンモータ２の駆動を制御する。したがって、冷却ファンモータ２を常用段階のまま動作させる場合に比べると、冷却度合いの高い冷却風によって、光源ランプ１１に対する冷却が促進されることになる。
【００２９】
図６は、冷却度合いの違いの一具体例を示す模式図である。
図例のように、最大冷却段階で冷却ファンモータ２を動作させると、当該冷却ファンモータ２を常用段階で動作させる場合に比べて、光源ランプ１１に対する冷却の度合いが高くなる。すなわち、単位時間あたりの温度低下量が大きくなり、図中における温度変化の傾きが大きくなる。
そのため、同一環境条件であれば、冷却ファンモータ２を常用段階で動作させる場合よりも、当該冷却ファンモータ２を最大冷却段階で動作させる場合のほうが、再点灯不可期間を短くすることができる。
このことは、光源ランプ１１の点灯失敗を契機にして最大冷却段階での冷却風を発生させるようにすれば、常用段階のまま動作させる場合に比べて、光源ランプ１１の再点灯指示を行う際の基準となる所定インターバル期間を短く設定し得ることを意味する。
【００３０】
したがって、光源ランプ１１の点灯失敗を契機にして最大冷却段階での冷却風を発生させるようにすれば、常用段階のままで冷却促進が行われない場合に比べて、迅速に当該光源ランプ１１の再点灯を行うことが実現可能になる。つまり、上述した処理動作例で説明した駆動制御を行うことで、光源ランプ１１の再点灯性を向上させることが可能になる。
【００３１】
しかも、光源ランプ１１の点灯失敗を契機にして当該光源ランプ１１に対する冷却度合いを高くすればよいため、液晶プロジェクタ装置内に予備電源を備えている必要がない。さらには、光源ランプ１１の点灯失敗がなければ、常用段階の冷却度合いにて当該光源ランプ１１に対する冷却を行えばよく、騒音防止機構や電源供給機構等の構成が大掛かりなものとなってしまうこともない。したがって、迅速に光源ランプ１１の再点灯を実現可能にするために、液晶プロジェクタ装置の構成の複雑化を招いてしまうこともない。
【００３２】
また、通常モード時の処理動作例では、光源ランプ１１の点灯失敗を契機にして最大冷却段階での冷却風を発生させた後、当該光源ランプ１１の点灯に成功すると、冷却ファンモータ２を常用段階で動作させる。したがって、常時冷却ファンモータ２を最大冷却段階で動作させる場合に比べると、消費電力の低減や騒音の静寂化等が図れるようになる。
【００３３】
さらに、通常モード時の処理動作例では、光源ランプ１１の点灯失敗を契機にして最大冷却段階での冷却風を発生させた後、所定回数の当該光源ランプ１１の点灯失敗が連続すると、冷却ファンモータ２による冷却風の発生を停止させる。そして、光源ランプ１１が点灯しない旨のアラーム出力を行う。したがって、光源ランプ１１の点灯失敗の理由が、当該光源ランプ１１の故障等によるものであっても、必要以上に当該光源ランプ１１の再点灯処理動作を行ってしまうことがなく、液晶プロジェクタ装置の利用者にとっての利便性が向上する。
【００３４】
［冷却促進モード］
図７は、液晶プロジェクタ装置における冷却促進モード時の処理動作例を示すタイミングチャートである。
【００３５】
図７（ａ）に示すように、液晶プロジェクタ装置では、Ｕ／Ｉ部３４でパワーオンスイッチが操作されると、メインコントロール部３３が電源回路部３２に対して冷却ファンモータ２の動作指示を与える。この動作指示を受けて、電源回路部３２は、冷却ファンモータ２に対する電源供給を行って、当該冷却ファンモータ２に冷却風発生を行わせる。このとき、電源回路部３２は、冷却ファンモータ２を最大冷却段階で動作させる。
その後は、Ｕ／Ｉ部３４での所定操作または液晶プロジェクタ装置に接続する外部装置からの信号入力があると、メインコントロール部３３がランプ電源供給部３１に対して光源ランプ１１の点灯指示を与える。この点灯指示を受けて、ランプ電源供給部３１は、光源ランプ１１に対する電源供給を行って、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００３６】
ただし、何らかの理由で光源ランプ１１の点灯を正常に行えずに当該点灯に失敗した場合には、ランプ電源供給部３１は、その旨をメインコントロール部３３へ通知する。この通知を受けると、メインコントロール部３３は、図７（ｂ）に示すように、冷却ファンモータ２を最大冷却段階のまま動作させるよう、電源回路部３２に対して当該冷却ファンモータ２の動作指示を与える。これにより、冷却ファンモータ２は、引き続き最大冷却段階での動作を継続して行うことになる。つまり、光源ランプ１１の点灯失敗時には、既にメインコントロール部３３が常用段階よりも冷却度合いの高い最大冷却段階での冷却風の発生を電源回路部３２に対して指示しているのである。
その後、ランプ電源供給部３１からの点灯失敗の通知から予め設定されている所定インターバル期間が経過すると、メインコントロール部３３は、ランプ電源供給部３１に対して光源ランプ１１の再点灯指示を与える。この再点灯指示を受けて、ランプ電源供給部３１は、光源ランプ１１に対する電源供給を通じて、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００３７】
また、光源ランプ１１の再点灯に失敗した場合には、ランプ電源供給部３１は、その旨をメインコントロール部３３へ通知する。この通知を受けると、メインコントロール部３３は、図７（ｃ）に示すように、冷却ファンモータ２を最大冷却段階のまま動作させるよう、電源回路部３２に対して当該冷却ファンモータ２の動作指示を与える。これにより、冷却ファンモータ２は、引き続き最大冷却段階での動作を継続して行うことになる。
その後、ランプ電源供給部３１からの再点灯失敗の通知から予め設定されている所定インターバル期間が経過すると、メインコントロール部３３は、再び、ランプ電源供給部３１に対して光源ランプ１１の再点灯指示を与える。この再点灯指示を受けて、ランプ電源供給部３１は、光源ランプ１１に対する電源供給を通じて、当該光源ランプ１１を点灯させる。
そして、光源ランプ１１が正常に点灯すると、ランプ電源供給部３１は、その旨をメインコントロール部３３へ通知する。この通知を受けて、メインコントロール部３３は、それ以降冷却ファンモータ２を常用段階で動作させるよう、電源回路部３２に対して当該冷却ファンモータ２の動作指示を与える。
【００３８】
ただし、ここでも光源ランプ１１の再点灯に失敗した場合には、光源ランプ１１の故障等が発生していると考えられる。このことから、ランプ電源供給部３１から再点灯失敗の通知を受けると、メインコントロール部３３は、図７（ｄ）に示すように、冷却ファンモータ２を停止させるよう、電源回路部３２に対して当該冷却ファンモータ２の動作指示を与える。この動作指示を受けて、電源回路部３２は、冷却ファンモータ２の動作を、最大冷却段階から最小冷却段階へ切り替える。つまり、メインコントロール部３３は、所定回数（例えば、２回。）の光源ランプ１１の点灯失敗が連続すると、冷却ファンモータ２を駆動停止させる。
さらに、メインコントロール部３３は、光源ランプ１１が点灯しない旨のアラーム出力を、Ｕ／Ｉ部３４を通じて行う。なお、アラーム出力での出力内容は、予め設定されているものであればよく、特に限定されるものではない。
【００３９】
以上のように、冷却促進モード時の処理動作例では、光源ランプ１１の点灯失敗以前のタイミングにて、常用段階よりも冷却度合いの高い最大冷却段階での冷却風を発生させるように、冷却ファンモータ２の駆動を制御する。そのため、上述した通常モード時の処理動作例の場合と同様に、冷却ファンモータ２を常用段階のまま動作させる場合に比べると、冷却度合いの高い冷却風によって、光源ランプ１１に対する冷却が促進されることになる。つまり、常用段階のままで冷却促進が行われない場合に比べて、迅速に当該光源ランプ１１の再点灯を行うことが実現可能になり、光源ランプ１１の再点灯性を向上させることが可能になる。
しかも、迅速に光源ランプ１１の再点灯を実現可能にするために、液晶プロジェクタ装置の構成の複雑化を招いてしまうこともない。
【００４０】
また、冷却促進モード時の処理動作例では、光源ランプ１１の点灯に成功すると、冷却ファンモータ２を常用段階で動作させる。したがって、上述した通常モード時の処理動作例の場合と同様に、消費電力の低減や騒音の静寂化等が図れるようになる。
【００４１】
さらに、冷却促進モード時の処理動作例では、所定回数の光源ランプ１１の点灯失敗が連続すると、冷却ファンモータ２による冷却風の発生を停止させて、アラーム出力を行う。したがって、上述した通常モード時の処理動作例の場合と同様に、液晶プロジェクタ装置の利用者にとっての利便性が向上する。
【００４２】
さらにまた、冷却促進モード時の処理動作例では、パワーオンスイッチ操作による装置起動後から冷却ファンモータ２に最大冷却段階の冷却風を発生させ、光源ランプ１１の点灯失敗があると、引き続き最大冷却段階の冷却風を発生させる。したがって、装置起動後から光源ランプ１１に対する冷却が促進されることになり、光源ランプ１１の点灯失敗が抑制されることが期待できる。このことは、例えば、光源ランプ１１の消灯後電源プラグをコンセントから抜いて液晶プロジェクタ装置の位置を移動し、その移動後直ちに当該液晶プロジェクタ装置を起動して用いるといった使用態様に対応する場合に、特に有効である。
【００４３】
なお、上述した実施形態では、本発明の好適な実施具体例を説明したが、本発明はその内容に限定されることはない。
例えば、上述した処理動作例では、冷却度合いが三段階存在する場合を例に挙げたが、さらに多くの段階が存在しても構わないことは勿論である。さらに、各段階の冷却度合いについても、その実現手法が特に限定されるものではなく、冷却ファンモータ２の動作回転数可変以外の手法によって実現したものであっても構わない。
また、例えば、上述した実施形態では、投射型表示装置として液晶プロジェクタ装置を例に挙げて説明したが、筐体内を空冷する必要があるものであれば、他の投射型表示装置、すなわち光変調装置として液晶パネル以外を用いたものであっても、全く同様に本発明を適用することが可能である。
このように、本発明は、上述した実施形態で説明した内容に限定されることはなく、その要旨を逸脱しない範囲で、適宜変更することが可能である。
【符号の説明】
【００４４】
２…冷却ファンモータ、１１…光源ランプ、３１…ランプ電源供給部、３２…電源回路部、３３…メインコントロール部、３４…Ｕ／Ｉ部
【図１】
2010224079.tif 000003
【図２】
2010224079.tif 000004
【図３】
2010224079.tif 000005
【図４】
2010224079.tif 000006
【図５】
2010224079.tif 000007
【図６】
2010224079.tif 000008
【図７】
2010224079.tif 000009